(57)【要約】【課題】良好な衛生性や美観をより長期間に亘って維持することができ、さらには使い勝手の向上などを図ることができる排水栓装置を提供する。【解決手段】排水栓装置は、筒状の保持部４１、保持部の外側に設けられる外環部４２、及び、保持部４１及び外環部４２を連結する連結部４３を具備してなるアタッチメント部材４を備える。連結部４３の一側面は、上方から下方に向けて保持部４１の周方向一方側に徐々に変位するように構成された傾斜面状又は湾曲面状をなす水流発生面４３１Ａとされ、連結部４３が、流路構成部に対し相対回転不能な状態とされる。水流発生面４３１Ａは強固に固定された状態となるため、水流発生面４３１Ａによって、流路構成部の内面を回転する方向に流れる水流などをより勢いよく生じさせることができる。また、水流発生面４３１Ａを設けることで、結果的に、美観の向上等も図ることが可能となる。【選択図】      図３
2020020101.tif 000002
【特許請求の範囲】
【請求項１】
槽体に設けられた排水口を開閉するための栓蓋と、
内部が前記排水口を通過して流れる排水の流路を構成する流路構成部と、
上端部において前記栓蓋を支持するとともに、自身の上下動により前記栓蓋を上下動させることが可能な棒状の支持軸を有してなる支持軸機構と、
前記支持軸機構を内周にて保持する筒状の保持部、当該保持部の外側において当該保持部と離間した状態で設けられる外環部、及び、前記保持部及び前記外環部を連結する連結部を具備してなり、前記流路構成部内に設けられるアタッチメント部材とを備え、
前記支持軸の上下動により前記排水口の開閉状態が切換えられるように構成された排水栓装置であって、
前記連結部の一側面は、上方から下方に向けて前記保持部の周方向一方側に徐々に変位するように構成された傾斜面状又は湾曲面状をなし、流下する排水を受けて前記流路構成部の内面側に向けて流すことが可能な水流発生面とされ、
前記流路構成部の内面に前記外環部が取付けられた状態とされることで、前記連結部が、前記流路構成部に対し相対回転不能な状態とされることを特徴とする排水栓装置。
【請求項２】
前記水流発生面は、その下端部全体が前記外環部の下端よりも下方に位置するように構成されていることを特徴とする請求項１に記載の排水栓装置。
【請求項３】
前記水流発生面の最外側部分は、前記外環部の内周面よりも外側に位置することを特徴とする請求項２に記載の排水栓装置。
【請求項４】
前記連結部は、２つのみ設けられており、
前記２つの連結部は、平面視したときに前記保持部の中心軸に対し点対称となるように設けられていることを特徴とする請求項１乃至３のいずれか１項に記載の排水栓装置。
【請求項５】
前記連結部は、平面視したときに前記水流発生面によって隠れる位置に、当該連結部の剛性を高めるための補強部を備えることを特徴とする請求項１乃至４のいずれか１項に記載の排水栓装置。
【発明の詳細な説明】
【技術分野】
【０００１】
本発明は、槽体の排水口を開閉可能な栓蓋を有する排水栓装置に関する。
【背景技術】
【０００２】
排水栓装置は、槽体（例えば、浴槽や洗面ボウルなど）の排水口に設けられた栓蓋を備えており、栓蓋を上下動させることで排水口を開閉させるものである。
【０００３】
排水栓装置としては、排水口を流れる排水の流路を構成する流路構成部（例えば、排水口に挿通される筒状の排水口部材や当該排水口部材と直列的に接続される配管などを備えたもの）と、栓蓋を上下動可能な状態で支持する棒状の支持軸を有してなる支持軸機構と、当該支持軸機構を流路構成部の内部にて保持するためのアタッチメント部材と、所定の操作部（例えば、操作ボタンや操作ハンドル等）の変位（操作）に伴い往復移動可能な伝達部材（例えばワイヤ等）とを有するものが一般に知られている（例えば、特許文献１等参照）。このような排水栓装置においては、操作部の変位に伴い伝達部材が往復移動することで支持軸及び栓蓋が上下動し、ひいては排水口の開閉状態が切換えられるようになっている。
【０００４】
また、アタッチメント部材としては、支持軸機構を内周にて保持する筒状の保持部と、当該保持部の外側に位置する外環部と、保持部及び外環部を連結する連結部とを備えたものが見受けられる（例えば、特許文献２等参照）。
【先行技術文献】
【特許文献】
【０００５】
【特許文献１】特開２０１６−１３２８９７号公報
【特許文献２】特開２０１５−２１４８１３号公報
【発明の概要】
【発明が解決しようとする課題】
【０００６】
ところで、流路構成部の内面には、使用に伴う汚れや異物が付着してしまいやすい。そのため、衛生性や美観の低下が容易に生じてしまうおそれがある。また、良好な衛生性や美観を維持するためには、流路構成部の清掃を頻繁に行わなければならない場合がある。
【０００７】
本発明は、上記事情に鑑みてなされたものであり、その目的は、良好な衛生性や美観をより長期間に亘って維持することができ、さらには使い勝手の向上などを図ることができる排水栓装置を提供することにある。
【課題を解決するための手段】
【０００８】
以下、上記目的を解決するのに適した各手段につき、項分けして説明する。なお、必要に応じて対応する手段に特有の作用効果を付記する。
【０００９】
手段１．槽体に設けられた排水口を開閉するための栓蓋と、
内部が前記排水口を通過して流れる排水の流路を構成する流路構成部と、
上端部において前記栓蓋を支持するとともに、自身の上下動により前記栓蓋を上下動させることが可能な棒状の支持軸を有してなる支持軸機構と、
前記支持軸機構を内周にて保持する筒状の保持部、当該保持部の外側において当該保持部と離間した状態で設けられる外環部、及び、前記保持部及び前記外環部を連結する連結部を具備してなり、前記流路構成部内に設けられるアタッチメント部材とを備え、
前記支持軸の上下動により前記排水口の開閉状態が切換えられるように構成された排水栓装置であって、
前記連結部の一側面は、上方から下方に向けて前記保持部の周方向一方側に徐々に変位するように構成された傾斜面状又は湾曲面状をなし、流下する排水を受けて前記流路構成部の内面側に向けて流すことが可能な水流発生面とされ、
前記流路構成部の内面に前記外環部が取付けられた状態とされることで、前記連結部が、前記流路構成部に対し相対回転不能な状態とされることを特徴とする排水栓装置。
【００１０】
上記手段１によれば、連結部の一側面（連結部の上面の端縁から垂下する面）は、傾斜面状又は湾曲面状をなし、流下する排水を受けて流路構成部の内面側に向けて流すことが可能な水流発生面とされている。さらに、外環部が流路構成部の内面に取付けられることで、連結部が流路構成部に対し相対回転不能な状態とされている。従って、水流発生面は強固に固定された状態となり、この強固に固定された水流発生面に排水が当たることで、流路構成部の内面側に向けた水流（外向き水流）や流路構成部の内面を回転する方向に流れる水流（螺旋流）をより勢いよく生じさせることができる。このような水流を生じさせることによって、流路構成部の内面に対する汚れや異物の付着を効果的に抑制することができ、また、仮に流路構成部の内面に汚れや異物が付着したとしても、これらを効果的に洗い流すことができる。その結果、良好な衛生性や美観をより長期間に亘って維持することができる。さらに、流路構成部の清掃に係る頻度や手間を減らすことができ、使い勝手を向上させることができる。
【００１１】
また、上記手段１によれば、連結部の一側面を上記のように構成することで、当該一側面に連なる連結部の上面の幅を小さなものとしつつ、平面視したときにおける連結部の全体的な幅を十分に確保することができる。これにより、全体的にスリムな印象を与えることが可能になるとともに、連結部において良好な剛性（強度）を得ることができる。その結果、美観の向上を図りつつ、栓蓋を踏みつけてしまったり栓蓋に重量物を載置してしまったりすること等により栓蓋へと下向きの大きな力が加わったときなどに、連結部の破損や変形が生じてしまうことをより確実に防止できる。
【００１２】
加えて、上記手段１によれば、連結部において良好な剛性（強度）を確保しつつ、連結部の上面の幅を小さくすることができるため、異物が連結部の上面に引っ掛かるようにして連結部に付着するといった事態をより生じにくくすることができる。
【００１３】
さらに、仮に異物が連結部の上面に引っ掛かり当該上面から水流発生面にかけて付着したときには、水流発生面に沿って排水が流れることで、付着した異物をより確実に洗い流すことができる。従って、流路構成部と同様に、連結部においても異物の付着抑制や異物の洗い流しを図ることができる。その結果、衛生性や美観に関する作用効果をさらに高めることができる。また、アタッチメント部材の清掃に係る頻度や手間を減らすことができ、使い勝手を一段と向上させることができる。
【００１４】
手段２．前記水流発生面は、その下端部全体が前記外環部の下端よりも下方に位置するように構成されていることを特徴とする手段１に記載の排水栓装置。
【００１５】
上記手段２によれば、水流発生面を上下方向に沿って十分に長いものとすることができる。そのため、外向き水流や螺旋流をより確実にかつ一層勢いよく生じさせることができる。これにより、衛生性や美観に係る作用効果をより高めることができるとともに、使い勝手を一層向上させることができる。
【００１６】
手段３．前記水流発生面の最外側部分は、前記外環部の内周面よりも外側に位置することを特徴とする手段２に記載の排水栓装置。
【００１７】
上記手段３によれば、水流発生面を流路構成部の内面の直近傍位置にまで至らせることができる。従って、広範囲に流れる排水を水流発生面へとより確実に接触させることができ、外向き水流や螺旋流を一層確実に生じさせることができる。その結果、衛生性や美観、使い勝手に係る上記作用効果をより一層向上させることができる。
【００１８】
尚、上記手段３の構成を採用する場合には、「水流発生面の最外側部分が外環部の外周面にまで至るように構成する」ことがより好ましい。この場合には、水流発生面をより外側まで延ばすことができるため、より広範囲に流れる排水を水流発生面に接触させることができ、ひいては外向き水流や螺旋流をより一層確実に生じさせることができる。
【００１９】
手段４．前記連結部は、２つのみ設けられており、
前記２つの連結部は、平面視したときに前記保持部の中心軸に対し点対称となるように設けられていることを特徴とする手段１乃至３のいずれかに記載の排水栓装置。
【００２０】
上記手段４によれば、連結部が２つのみ設けられているため、保持部及び外環部間に形成される排水流路の面積（通水面積）をより大きく確保することができ、排水能力を向上させることができる。また、１の連結部（水流発生面）で生じた水の流れが、もう１つの連結部によって阻害されてしまうことをより確実に防止できる。その結果、衛生性や美観、使い勝手に係る上記作用効果をより確実に発揮させることができる。
【００２１】
手段５．前記連結部は、平面視したときに前記水流発生面によって隠れる位置に、当該連結部の剛性を高めるための補強部を備えることを特徴とする手段１乃至４のいずれかに記載の排水栓装置。
【００２２】
上記手段５によれば、補強部によって連結部の剛性（強度）をより高めることができ、栓蓋へと下向きの大きな力が加わったときなどにおける連結部の破損や変形をより効果的に防止することができる。
【００２３】
一方、上記手段５によれば、補強部は、平面視したときに水流発生面によって隠れる位置に設けられている。そのため、補強部の存在による美観の低下をより確実に抑えることができる。
【図面の簡単な説明】
【００２４】
【図１】排水栓装置の断面図である。
【図２】側方側から見たときにおけるアタッチメント部材の斜視図である。
【図３】上方側から見たときにおけるアタッチメント部材の斜視図である。
【図４】アタッチメント部材などの平面図である。
【発明を実施するための形態】
【００２５】
以下に、一実施形態について図面を参照しつつ説明する。図１に示すように、排水栓装置１は、槽体としての浴槽１００に取付けられている。浴槽１００は、その底面を構成する底面部１０１を備えており、当該底面部１０１には排水口１０２が貫通形成されている。
【００２６】
排水栓装置１は、排水口部材２と、配管３と、アタッチメント部材４と、支持軸機構５と、栓蓋６とを備えている。
【００２７】
排水口部材２は、円筒状に形成されており、自身の中心軸と排水口１０２の中心軸とがほぼ一致するように排水口１０２に挿設されている。また、排水口部材２は、その上端部において径方向外側に突出形成された鍔部２１と、当該鍔部２１よりも下側の外周に形成された雄ねじ部２２とを備えている。
【００２８】
さらに、排水口部材２の内周には、内側に向けて突出形成された取付用突部２３と、外側に向けて凹んだ形状をなす取付用凹部（不図示）とが、排水口部材２の周方向に沿って交互に複数形成されている。取付用突部２３及び取付用凹部は、アタッチメント部材４の被取付部として機能する。
【００２９】
配管３は、屈曲筒状をなしており、その一端部（上端部）内周に前記雄ねじ部２２を螺合可能な雌ねじ部３１を備えている。そして、排水口１０２に排水口部材２を挿通しつつ雄ねじ部２２を雌ねじ部３１に螺合し、鍔部２１及び配管３の上端面により底面部１０１を挟み込むことで、排水口部材２及び配管３が接続されるとともに、両者が浴槽１００に取付けられた状態となっている。
【００３０】
尚、本実施形態において、配管３の上端面と底面部１０１の裏面との間には、弾性変形可能な材料（例えば、樹脂やゴム等）により形成された環状のシール部材７が配置されている。当該シール部材７によって、排水口部材２及び配管３と浴槽１００との間からの漏水防止が図られている。
【００３１】
また、本実施形態において、排水口部材２及び配管３の内部は、排水口１０２を通過して流れる排水の流路を構成する。従って、本実施形態では、排水口部材２及び配管３によって流路構成部８が構成されている。
【００３２】
アタッチメント部材４は、排水の流路において支持軸機構５を保持するためのものであり、流路構成部８の内部に配置されている。アタッチメント部材４の構成については後に詳述する。
【００３３】
支持軸機構５は、栓蓋６を上下動させるためのものであり、ケース部５１及び支持軸５２を備えている。ケース部５１は、円筒状をなしており、上下動不能な状態でアタッチメント部材４（後述する保持部４１）により保持されている。
【００３４】
支持軸５２は、棒状（円柱状）をなしており、上下動可能な状態でケース部５１の内周に配置されている。支持軸５２は、上端部において栓蓋６を支持しており、自身の上下動により栓蓋６を上下動させることが可能とされている。但し、本実施形態において、支持軸５２の上端部は、栓蓋６に取付けられておらず、少なくとも排水口１０２が開状態であるときに栓蓋６が単に載置されるように構成されている。そして、排水口１０２が閉状態であるときに、後述するパッキン部６２が排水口部材２に接触することで、支持軸５２の上端部は、栓蓋６から離間した状態（浮いた状態）となるように構成されている。これにより、排水口部材２へとパッキン部６２をより確実に密着させることができ、良好な止水性を得ることが可能となっている。
【００３５】
加えて、支持軸５２は、図示しない操作部（例えば押しボタン等）の変位による駆動力を伝達するための伝達部材９（例えば、金属製のワイヤ）の端部が接触可能に構成されている。伝達部材９は、筒状のチューブ部材１０の内周において往復移動可能な状態で配置されている。尚、前記操作部を備えてなる操作装置（図示せず）には、伝達部材９を往動（前記操作部側から支持軸機構５側に移動）した状態でロックすることにより、支持軸５２をロックするための図示しないロック機構（例えば、スラストロック機構）が設けられている。
【００３６】
さらに、支持軸５２の内部には、アブソーバスプリング５３が配設されている。当該アブソーバスプリング５３によって、栓蓋６を踏み付けた場合など、栓蓋６へと下向きの大きな力が加わった場合に、伝達部材９やアタッチメント部材４等に過大な負荷が加わらないように構成されている。尚、図１では、アブソーバスプリング５３及び次述する戻りばね５４の断面のみをそれぞれ示している。
【００３７】
また、ケース部５１と支持軸５２との間には、支持軸５２に対し下動方向への力を付与する戻りばね５４が設けられている。
【００３８】
本実施形態では、前記操作部を操作（例えば、押圧）することで伝達部材９が往動したとき、支持軸５２は、戻りばね５４からの力に抗して伝達部材９により押し上げられる。そして、支持軸５２が十分に上動した状態で前記操作部への操作が解除されると、支持軸５２が若干だけ下降しつつ、前記ロック機構によって伝達部材９が往動した状態でロックされる。その結果、支持軸５２は上動した状態でロックされる。
【００３９】
一方、この状態で前記操作部を再度操作すると、伝達部材９が再び往動し、前記ロック機構による伝達部材９のロックが解除される。そして、前記操作部に対する操作が解除されると、戻りばね５４からの付勢力によって支持軸５２は下動する。また、支持軸５２の下動に伴い、伝達部材９が復動する。
【００４０】
このように本実施形態では、前記操作部を操作する度に、上方位置における支持軸５２のロックと、伝達部材９のロック解除に伴う支持軸５２の下動とが交互に行われる。尚、支持軸５２をロックするためのロック機構を、支持軸機構５に設けることとしてもよい。
【００４１】
栓蓋６は、排水口１０２を開閉するための栓である。栓蓋６は、樹脂等からなる円板状の栓蓋本体部６１と、弾性変形可能な材料（例えば樹脂やゴム等）により形成された環状のパッキン部６２と、流路構成部８へと流れ込む排水の流れや流量を調節するための整流部材６３とを備えている。
【００４２】
本実施形態では、前記操作部への操作に伴い支持軸５２及び栓蓋６が上動し、パッキン部６２が排水口部材２から離間した状態となることで、排水口１０２が開状態とされる（図１参照）。一方、この状態で、前記操作部への操作に伴い支持軸５２が下動し、パッキン部６２の外周部分全域が排水口部材２と接触することで、排水口１０２が閉状態とされる。
【００４３】
尚、栓蓋６は、その比重が１よりも大きくなるように（つまり、水に沈むように）構成されており、自重のみで排水口１０２を閉鎖可能とされている。
【００４４】
前記栓蓋本体部６１は、円板状の基部６１１と、それぞれ当該基部６１１の裏面から下方に突出する外側筒部６１２及び内側筒部６１３とを備えている。
【００４５】
外側筒部６１２は、外周にパッキン部６２や整流部材６３が取付けられる部位である。内側筒部６１３は、支持軸５２の外側かつ外側筒部６１２の内側に位置する筒状部位である。内側筒部６１３は、支持軸５２の上下動に伴い後述する保持部４１の外周に沿って移動するようになっており、その結果、栓蓋６の傾きや水平方向に沿った位置ずれの発生を防止可能となっている。
【００４６】
整流部材６３は、外側筒部６１２及び内側筒部６１３間に形成された溝に配置されつつ、外側筒部６１２の外周に嵌め込まれることで、栓蓋６の裏側に配設されている。本実施形態では、整流部材６３のうち外側筒部６１２の外周に嵌め込まれた部位によって、外側筒部６１２からのパッキン部６２の脱落防止が図られている。
【００４７】
また、整流部材６３は、その周方向に沿って等間隔に複数の羽根６３１を備えており、これら羽根６３１に排水が当たることによって、流路構成部８へと流れ込む排水の流れや流量を調節可能とされている。
【００４８】
次いで、アタッチメント部材４の構成について説明する。アタッチメント部材４は、図２及び図３に示すように、保持部４１、外環部４２及び連結部４３を備えている。
【００４９】
保持部４１は、自身の内周において支持軸機構５を保持するためのものである。保持部４１は、全体として円筒状をなしており、外環部４２よりも内側において外環部４２と同軸状に設けられている。
【００５０】
外環部４２は、保持部４１の外側において当該保持部４１と離間した状態で設けられている。外環部４２は、流路構成部８（排水口部材２）に対するアタッチメント部材４の取付部として機能する。外環部４２の下部には、複数の凹部４２１が外環部４２の周方向に沿って間隔をあけて複数設けられており、外環部４２の外周には、複数の突部４２２が外環部４２の周方向に沿って間隔をあけて複数設けられている。そして、前記凹部４２１に排水口部材２の前記取付用突部２３を配置するとともに、前記突部４２２を排水口部材２の前記取付用凹部へと配置することで、外環部４２ひいてはアタッチメント部材４が流路構成部８（排水口部材２）の内面に取付けられた状態となっている。
【００５１】
連結部４３は、外環部４２の内周面と保持部４１の外周面とを連結する部位である。連結部４３は、保持部４１の外周から保持部４１の径方向外側に向けて延びており、本実施形態では、２つのみ設けられている。２つの連結部４３は、平面視したときに保持部４１の中心軸ＣＬに対し点対称となるように設けられている（図４参照。尚、図４では支持軸機構５や栓蓋６等を不図示）。尚、流路構成部８に流れ込んだ排水は、各連結部４３間の隙間を通って下流へと流れるようになっている。
【００５２】
また、各連結部４３は、それぞれ板状をなす連結基部４３１及び補強部４３２を備えている。
【００５３】
連結基部４３１は、外環部４２及び保持部４１に連結されており、美観の向上などを考慮して、その上面の幅が非常に小さなもの（例えば、３ｍｍ以下であり、より好ましくは２ｍｍ以下）とされている。また、連結基部４３１は、上方から下方に向けて保持部４１の周方向一方側に徐々に変位する傾斜板状をなしている。そして、連結基部４３１における両側面（連結基部４３１の上面の端縁から垂下し、保持部４１及び外環部４２に連結される面）のうちの一方、つまり一側面には、水流発生面４３１Ａが設けられている。
【００５４】
水流発生面４３１Ａは、上方から下方に向けて保持部４１の周方向一方側に徐々に変位するように構成された傾斜面状をなしており、斜め上方に向いている。これにより、連結部４３へと流下した排水は、水流発生面４３１Ａを伝わって流路構成部８の内面側に向けて流れることが可能になっている。つまり、水流発生面４３１Ａは、流下する排水を受けて流路構成部８の内面側に向けて流すことが可能に構成されている。
【００５５】
さらに、上記のように流路構成部８（排水口部材２）の内面に外環部４２が取付けられた状態とされることで、連結部４３ひいては水流発生面４３１Ａは、流路構成部８に対し相対回転不能な状態とされている。
【００５６】
加えて、水流発生面４３１Ａは、上下方向に沿って十分な長さを有しており、その下端部全体が外環部４２の下端よりも下方に位置するように構成されている。
【００５７】
また、水流発生面４３１Ａの最外側部分は、外環部４２の内周面よりも外側に位置するように構成されている。本実施形態において、水流発生面４３１Ａの最外側部分は、外環部４２の外周面にまで至っており、連結基部４３１の最外周面は、外環部４２の外周面と面一の状態となっている。
【００５８】
補強部４３２は、連結部４３の剛性（強度）を高めるためのものである。補強部４３２は、鉛直方向に延びる板状をなしており、連結基部４３１における水流発生面４３１Ａの裏側に位置する側面の上部と、保持部４１の外周面とに連結されている。また、補強部４３２は、平面視したときに水流発生面４３１Ａによって隠れる位置に設けられており、本実施形態では、平面視視認不能とされている（図４参照）。
【００５９】
また、補強部４３２は、その最外側部分が前記取付用突部２３と接触又は近接した状態となっている。従って、栓蓋６へと下向きの大きな力が加わったときには、補強部４３２によって保持部４１の下部開口が広がってしまうことをより確実に防止できるようになっている。これにより、保持部４１からの支持軸機構５の脱落防止が図られている。
【００６０】
以上詳述したように、本実施形態によれば、流路構成部８（排水口部材２）の内面に外環部４２が取付けられた状態とされることで、水流発生面４３１Ａは強固に固定された状態となり、この強固に固定された水流発生面４３１Ａに排水が当たることで、流路構成部８の内面側に向けた水流（外向き水流）や流路構成部８の内面を回転する方向に流れる水流（螺旋流）をより勢いよく生じさせることができる。このような水流を生じさせることによって、流路構成部８の内面に対する汚れや異物の付着を効果的に抑制することができ、また、仮に流路構成部８の内面に汚れや異物が付着したとしても、これらを効果的に洗い流すことができる。その結果、良好な衛生性や美観をより長期間に亘って維持することができる。さらに、流路構成部８の清掃に係る頻度や手間を減らすことができ、使い勝手を向上させることができる。
【００６１】
また、連結部４３に水流発生面４３１Ａを設けることで、連結部４３の上面の幅を小さなものとしつつ、平面視したときにおける連結部４３の全体的な幅を十分に確保することができる。これにより、全体的にスリムな印象を与えることが可能になるとともに、連結部４３において良好な剛性（強度）を得ることができる。その結果、美観の向上を図りつつ、栓蓋６へと下向きの大きな力が加わったときなどに連結部４３の破損や変形が生じてしまうことをより確実に防止できる。
【００６２】
加えて、連結部４３において良好な剛性（強度）を確保しつつ、連結部４３の上面の幅を小さくすることができるため、異物が連結部４３の上面に引っ掛かるようにして連結部４３に付着するといった事態をより生じにくくすることができる。
【００６３】
さらに、仮に異物が連結部４３の上面に引っ掛かり当該上面から水流発生面４３１Ａにかけて付着したときには、水流発生面４３１Ａに沿って排水が流れることで、付着した異物をより確実に洗い流すことができる。従って、流路構成部８と同様に、連結部４３においても異物の付着抑制や異物の洗い流しを図ることができる。その結果、衛生性や美観に関する作用効果をさらに高めることができる。また、アタッチメント部材４の清掃に係る頻度や手間を減らすことができ、使い勝手を一段と向上させることができる。
【００６４】
加えて、水流発生面４３１Ａは、その下端部全体が外環部４２の下端よりも下方に位置するように構成されており、上下方向に沿って十分に長いものとされている。そのため、外向き水流や螺旋流をより確実にかつ一層勢いよく生じさせることができる。これにより、衛生性や美観に係る作用効果をより高めることができるとともに、使い勝手を一層向上させることができる。
【００６５】
さらに、水流発生面４３１Ａの最外側部分は、外環部４２の内周面よりも外側に位置しているため、水流発生面４３１Ａを流路構成部８の内面の直近傍位置にまで至らせることができる。従って、広範囲に流れる排水を水流発生面４３１Ａへとより確実に接触させることができ、外向き水流や螺旋流を一層確実に生じさせることができる。その結果、衛生性や美観、使い勝手に係る上記作用効果をより一層向上させることができる。
【００６６】
特に本実施形態では、水流発生面４３１Ａの最外側部分が外環部４２の外周面にまで至るように構成されているため、一層広範囲に流れる排水を水流発生面４３１Ａに接触させることができ、ひいては外向き水流や螺旋流をより一層確実に生じさせることができる。
【００６７】
加えて、連結部４３は２つのみ設けられているため、保持部４１及び外環部４２間に形成される排水流路の面積（通水面積）をより大きく確保することができ、排水能力を向上させることができる。また、１の連結部４３（水流発生面４３１Ａ）で生じた水の流れが、もう１つの連結部４３によって阻害されてしまうことをより確実に防止できる。その結果、衛生性や美観、使い勝手に係る上記作用効果をより確実に発揮させることができる。
【００６８】
併せて、補強部４３２によって連結部４３の剛性（強度）をより高めることができ、栓蓋６へと下向きの大きな力が加わったときなどにおける連結部４３の破損や変形をより効果的に防止することができる。
【００６９】
一方、補強部４３２は、平面視したときに水流発生面４３１Ａによって隠れる位置に設けられている。そのため、補強部４３２の存在による美観の低下をより確実に抑えることができる。
【００７０】
尚、上記実施形態の記載内容に限定されず、例えば次のように実施してもよい。勿論、以下において例示しない他の応用例、変更例も当然可能である。
【００７１】
（ａ）上記実施形態において、連結部４３は２つのみ設けられているが、連結部を１つのみ又は３つ以上設けることとしてもよい。尚、連結部を３つ以上設ける場合には、連結部によって水流発生面で生じた水の流れが極力阻害されないようにするために、保持部４１の周方向に沿って等間隔に連結部を設けることが好ましい。
【００７２】
（ｂ）上記実施形態において、連結部４３は補強部４３２を備えているが、補強部４３２を設けないこととしてもよい。
【００７３】
さらに、上記実施形態においては、補強部４３２の全体が水流発生面４３１Ａによって隠れるように構成されているが、補強部４３２の一部が隠れるように構成してもよい。この場合においても、補強部４３２の存在による美観の低下を抑えることができる。
【００７４】
（ｃ）上記実施形態において、水流発生面４３１Ａは傾斜面状をなしているが、上方から下方に向けて保持部４１の周方向一方側に徐々に変位するように構成された湾曲面状をなすように水流発生面を構成してもよい。勿論、水流発生面が傾斜面及び湾曲面の双方を有するものであってもよい。この場合、水流発生面は、傾斜面状であるともいえるし、湾曲面状であるともいえる。
【００７５】
（ｄ）上記実施形態において、栓蓋６は整流部材６３を備えているが、整流部材６３を設けないこととしてもよい。
【００７６】
（ｅ）上記実施形態において、水流発生面４３１Ａは平滑面状（凹凸のない形状）をなしているが、水流発生面４３１Ａに突部や凹部を設けることとしてもよい。例えば、水流発生面４３１Ａに、保持部４１及び外環部４２間を繋ぐようにして延びる突部や凹部を設けることとしてもよい。この場合には、水流発生面４３１Ａとこれに付着した異物との間に隙間を形成することが可能となり、水流発生面４３１Ａに対する異物の密着をより確実に防止することができる。その結果、水流発生面４３１Ａからの異物の洗い流しを一層確実に生じさせることができ、衛生性や清掃性を一層高めることができる。
【００７７】
（ｆ）上記実施形態において、流路構成部８は、排水口部材２及び配管３により構成されているが、流路構成部は必ずしもこのような構成に限られない。例えば、排水口部材を省略するとともに、配管を、自身の内周面と浴槽１００における排水口１０２を形成する面とが連続するように浴槽１００へと直接接続する構成では、浴槽１００における排水口１０２を形成する部位及び配管によって流路構成部が構成されることとなる。また、この構成において、浴槽１００及び配管の上端面間に環状のシール部材を配設する場合、浴槽１００における排水口１０２を形成する部位、前記シール部材及び配管を通って排水が流れるため、シール部材も流路構成部の一部となる。
【００７８】
（ｇ）上記実施形態において、アタッチメント部材４は排水口部材２の内面に取付けられているが、アタッチメント部材４の取付対象は流路構成部８の内面であればよい。従って、アタッチメント部材４を、配管３の内面に取付けることとしてもよいし、排水口部材２から配管３にかけた両者の内面部分に取付けることとしてもよい。
【００７９】
（ｈ）上記実施形態において、支持軸機構５は支持軸５２及びケース部５１を備えているが、ケース部５１を省略し、保持部４１がケース部５１としての役割を担うように構成してもよい。
【００８０】
（ｉ）上記実施形態では、支持軸５２に栓蓋６が載置されるように構成されているが、支持軸５２の先端部（上端部）を栓蓋６に取付ける（固定する）ように構成してもよい。尚、このように構成では、栓蓋６の傾き等を防止可能となるため、内側筒部６１３を省略してもよい。
【００８１】
（ｊ）上記実施形態では、栓蓋６（パッキン部６２）が排水口部材２に接触することで排水口１０２が閉状態となるように構成されているが、栓蓋６（パッキン部６２）が浴槽１００の底面部１０１に接触することで排水口１０２が閉状態となるように構成してもよい。
【００８２】
（ｋ）上記実施形態では、槽体として浴槽１００を例示しているが、本発明の技術思想を適用可能な槽体は浴槽に限定されるものではない。従って、例えば、洗面ボウルやキッチンの流し台などの浴槽以外の槽体に対し本発明の技術思想を適用してもよい。
【符号の説明】
【００８３】
１…排水栓装置、４…アタッチメント部材、５…支持軸機構、６…栓蓋、８…流路構成部、４１…保持部、４２…外環部、４３…連結部、５２…支持軸、１００…浴槽（槽体）、１０２…排水口、４３１Ａ…水流発生面、４３２…補強部。
【図１】
2020020101.tif 000003
【図２】
2020020101.tif 000004
【図３】
2020020101.tif 000005
【図４】
2020020101.tif 000006